(57)【要約】【課題】決められたピッチで尚かつ微少なピッチで精度よく可動部の固定位置を調整することが可能なワイヤハーネス組立治具を提供する。【解決手段】ワイヤハーネス組立治具１における固定手段６は、第一ピッチ調整固定部２９と第二ピッチ調整固定部３０とを含んで構成される。布線台固定部２に対する可動部４の位置決めの際には、第一ピッチ調整固定部２９及び第二ピッチ調整固定部３０のいずれか一方が選ばれて使用される。第一ピッチ調整固定部２９が使用される場合、第一固定部材３１を布線台固定部２の第一単独固定穴１９にねじ込んでいくと、可動部４の三つの第一ピッチ固定穴２７のうち、真ん中の固定穴に第一固定部材３１の先端部分が挿入される。第一固定部材３１は、第一単独固定穴１９と第一ピッチ固定穴２７とに跨って挿入され、そして、この状態で固定される。【選択図】図１
2015082348.tif 000002
【特許請求の範囲】
【請求項１】
ワイヤハーネスを布線する布線台上に固定される布線台固定部と、該布線台固定部に対し前記ワイヤハーネスの布線方向に移動可能に取り付けられる可動部と、該可動部に固定されるハーネス支持部と、前記可動部の前記布線方向の位置決めをする固定手段とを含み、外装品及び／又はクランプを前記ワイヤハーネスに取り付ける際に使用されるワイヤハーネス組立治具において、
前記固定手段は、前記可動部の固定位置を所定のピッチで調整して固定する第一ピッチ調整固定部と、該第一ピッチ調整固定部による前記可動部の固定位置に対し、ずらして調整し固定する第二ピッチ調整固定部とを含み、
前記位置決めの際は、前記第一ピッチ調整固定部及び前記第二ピッチ調整固定部のいずれか一方が使用される
ことを特徴とするワイヤハーネス組立治具。
【請求項２】
請求項１に記載のワイヤハーネス組立治具において、
前記第一ピッチ調整固定部は、前記可動部及び前記布線台固定部のいずれか一方に形成され、且つ前記所定のピッチで配置形成される複数の第一ピッチ固定穴と、前記可動部及び前記布線台固定部のいずれか他方に形成される一つの第一単独固定穴と、前記第一ピッチ固定穴及び前記第一単独固定穴に跨って配設される固定用の第一固定部材とを含む
ことを特徴とするワイヤハーネス組立治具。
【請求項３】
請求項１に記載のワイヤハーネス組立治具において、
前記第二ピッチ調整固定部は、前記可動部及び前記布線台固定部のいずれか一方に形成され、且つ前記第一ピッチ調整固定部の複数の第一ピッチ固定穴に対し、ずらして配置形成される複数の第二ピッチ固定穴と、前記可動部及び前記布線台固定部のいずれか他方に形成される一つの第二単独固定穴と、前記第二ピッチ固定穴及び前記第二単独固定穴に跨って配設される固定用の第二固定部材とを含む
ことを特徴とするワイヤハーネス組立治具。
【請求項４】
請求項１、２又は３に記載のワイヤハーネス組立治具において、
前記第一ピッチ調整固定部及び前記第二ピッチ調整固定部は、対向する一方・他方の両面に分かれて配置される、又は、該対向する一方・他方の面のうち一方にまとめて配置される
ことを特徴とするワイヤハーネス組立治具。
【請求項５】
請求項１、２、３又は４に記載のワイヤハーネス組立治具において、
前記布線台固定部は、前記可動部に対するガイド部を有し、該ガイド部は、前記布線方向への前記可動部の移動を可能にしつつ前記ハーネス支持部の軸方向への移動を規制する形状に形成される
ことを特徴とするワイヤハーネス組立治具。
【発明の詳細な説明】
【技術分野】
【０００１】
本発明は、ワイヤハーネスに外装品及び／又はクランプを取り付ける際に使用されるワイヤハーネス組立治具に関する。
【背景技術】
【０００２】
ワイヤハーネスの所定位置に精度よく外装品を取り付けることができるワイヤハーネス組立治具としては、例えば下記特許文献１に開示された治具が知られる。特許文献１ではワイヤハーネス用外装品取付治具及びクランプ取付治具と呼ばれる。
【０００３】
特許文献１の図面を参照しながら構成及び構造を以下に説明する。ワイヤハーネス組立治具２５は、布線台にて布線されたワイヤハーネスの所定位置にクランプ７やその他の外装品を取り付けるための治具であって、固定部２７と、受部３１と、可動部２９と、固定手段３３とを含んで構成される。
【０００４】
固定部２７は、平面視矩形の平板状に形成され、固定部２７の下面２７ａ側には、ボルト３７が固定される。また、固定部２７の幅方向の両側には、スライドレール３９、３９が形成される。さらに、固定部２７の対角線方向となる側には、ねじ孔４１、４１が形成される。このねじ孔４１、４１には、ボルト４５、４５が締め付けられる。
【０００５】
受部３１は、いわゆる受け部分や支持部分であって、このような受部３１は、可動部２９の支持壁部４９に固定される。可動部２９は、板状の基板部４７を有する。この基板部４７の中央位置には、上記支持壁部４９が形成される。可動部２９の幅方向の両側には、スライド突起５５、５５が形成される。また、可動部２９の対角線方向となる側には、挿通孔４３、４３が貫通形成される。この挿通孔４３、４３には、ボルト４５、４５が挿通される。挿通孔４３、４３は、矢印ａ方向に長穴となる形状に形成される。
【０００６】
可動部２９は、ボルト４５、４５が挿通された状態で矢印ａ方向にスライド可能に形成される。また、可動部２９は、矢印ｂ方向に位置決め可能に形成される。可動部２９の支持壁部４９に固定される受部３１は、可動部２９のスライド移動に伴って矢印ａ方向にスライドする。
【０００７】
固定手段３３は、固定部２７に対し可動部２９をワイヤハーネスの布線方向（配索方向や軸方向）の所定位置に固定するために、複数の構成からなる。具体的には、ねじ孔４１、４１と、挿通孔４３、４３と、ボルト４５、４５とからなる。
【０００８】
上記構成及び構造において、挿通孔４３、４３にボルト４５、４５を挿通しつつ、このボルト４５、４５をねじ孔４１、４１に締め付けていくと、可動部２９は固定部２７に対し固定される。固定前に可動部２９を矢印ａ方向にスライド移動させておくことで、ワイヤハーネスへのクランプ７やその他の外装品の取り付け位置が決められる。
【先行技術文献】
【特許文献】
【０００９】
【特許文献１】特開平７−３２６２３９号公報
【発明の概要】
【発明が解決しようとする課題】
【００１０】
上記従来技術にあっては、固定手段３３として長穴形状の挿通孔４３、４３を有することから、矢印ａ方向に可動部２９をスライド移動させて固定位置の調整をするにあたり、この調整幅に自由度を持たせることができる。しかしながら、決められたピッチで尚かつ微少なピッチで精度よく調整をしようとする場合には、構造上、対応することができないという問題点を有する。
【００１１】
また、上記従来技術にあっては、ボルト４５、４５の締め付けが甘く例えば矢印ａ方向からの外力が加わった場合に、可動部２９の横滑りが生じてしまうという問題点も有する。
【００１２】
本発明は、上記した事情に鑑みてなされたもので、決められたピッチで尚かつ微少なピッチで精度よく可動部の固定位置を調整することが可能なワイヤハーネス組立治具を提供することを課題とする。また、外力が加わっても可動部の横滑りを防止することが可能なワイヤハーネス組立治具を提供することも課題とする。
【課題を解決するための手段】
【００１３】
上記課題を解決するためになされた請求項１に記載の本発明は、ワイヤハーネスを布線する布線台上に固定される布線台固定部と、該布線台固定部に対し前記ワイヤハーネスの布線方向に移動可能に取り付けられる可動部と、該可動部に固定されるハーネス支持部と、前記可動部の前記布線方向の位置決めをする固定手段とを含み、外装品及び／又はクランプを前記ワイヤハーネスに取り付ける際に使用されるワイヤハーネス組立治具において、前記固定手段は、前記可動部の固定位置を所定のピッチで調整して固定する第一ピッチ調整固定部と、該第一ピッチ調整固定部による前記可動部の固定位置に対し、ずらして調整し固定する第二ピッチ調整固定部とを含み、前記位置決めの際は、前記第一ピッチ調整固定部及び前記第二ピッチ調整固定部のいずれか一方が使用されることを特徴とする。
【００１４】
このような特徴を有する本発明によれば、位置決めの際に固定手段として第一ピッチ調整固定部を選んで使用すると、可動部の固定位置は所定のピッチで調整可能になる。一方、第二ピッチ調整固定部を選んで使用すると、可動部の固定位置は、第一ピッチ調整固定部による可動部の固定位置に対し、ずらして調整することが可能になる。従って、本発明によれば、第一ピッチ調整固定部と第二ピッチ調整固定部との使い分けにより、可動部の固定位置を微少なピッチで調整し、その上で固定することが可能になる。
【００１５】
請求項２に記載の本発明は、請求項１に記載のワイヤハーネス組立治具において、前記第一ピッチ調整固定部は、前記可動部及び前記布線台固定部のいずれか一方に形成され、且つ前記所定のピッチで配置形成される複数の第一ピッチ固定穴と、前記可動部及び前記布線台固定部のいずれか他方に形成される一つの第一単独固定穴と、前記第一ピッチ固定穴及び前記第一単独固定穴に跨って配設される固定用の第一固定部材とを含むことを特徴とする。
【００１６】
このような特徴を有する本発明によれば、可動部をスライド移動させると、例えば基準位置に対し所定のピッチで並ぶ複数の第一ピッチ固定穴のうち、一つの固定穴と、第一単独固定穴とが一致する。この後に、一致した状態にある第一ピッチ固定穴と第一単独固定穴とに跨って第一固定部材を配設すれば、第一固定部材により第一ピッチ固定穴と第一単独固定穴とが固定される。従って、布線台固定部に対する可動部の固定位置が決まるのは勿論のこと、外力が加わっても可動部の横滑りは防止される。また、本発明によれば、第一ピッチ調整固定部として穴の形状を採用することから、ピッチを精度よく出したり、穴形状等を精度よく形成したりすることが容易になる。そして、第一固定部材を例えばイモネジにすれば、簡単な構造で第一ピッチ固定穴と第一単独固定穴とを位置ズレなしの状態に固定することが可能になり、結果、可動部の位置調整が確実な第一ピッチ調整固定部になる。
【００１７】
請求項３に記載の本発明は、請求項１に記載のワイヤハーネス組立治具において、前記第二ピッチ調整固定部は、前記可動部及び前記布線台固定部のいずれか一方に形成され、且つ前記第一ピッチ調整固定部の複数の第一ピッチ固定穴に対し、ずらして配置形成される複数の第二ピッチ固定穴と、前記可動部及び前記布線台固定部のいずれか他方に形成される一つの第二単独固定穴と、前記第二ピッチ固定穴及び前記第二単独固定穴に跨って配設される固定用の第二固定部材とを含むことを特徴とする。
【００１８】
このような特徴を有する本発明によれば、可動部をスライド移動させると、第一ピッチ調整固定部の複数の第一ピッチ固定穴に対し、ずらして配置形成される複数の第二ピッチ固定穴のうち、一つの固定穴と、第二単独固定穴とが一致する。この後に、一致した状態にある第二ピッチ固定穴と第二単独固定穴とに跨って第二固定部材を配設すれば、第二固定部材により第二ピッチ固定穴と第二単独固定穴とが固定される。従って、布線台固定部に対する可動部の固定位置が決まるのは勿論のこと、外力が加わっても可動部の横滑りは防止される。また、本発明によれば、第二ピッチ調整固定部として穴の形状を採用することから、ピッチを精度よく出したり、穴形状等を精度よく形成したりすることが容易になる。そして、第二固定部材を例えばイモネジにすれば、簡単な構造で第二ピッチ固定穴と第二単独固定穴とを位置ズレなしの状態に固定することが可能になり、結果、可動部の位置調整が確実な第二ピッチ調整固定部になる。
【００１９】
請求項４に記載の本発明は、請求項１、２又は３に記載のワイヤハーネス組立治具において、前記第一ピッチ調整固定部及び前記第二ピッチ調整固定部は、対向する一方・他方の両面に分かれて配置される、又は、該対向する一方・他方の面のうち一方にまとめて配置されることを特徴とする。
【００２０】
このような特徴を有する本発明によれば、布線台固定部や可動部の一方・他方の両面位置に、又は、一方の面位置に、第一ピッチ調整固定部及び第二ピッチ調整固定部が配置される。可動部の位置決めは、上記位置で行われる。尚、本発明に限らず、他の面に配置して位置決めを行ってもよいものとする。
【００２１】
請求項５に記載の本発明は、請求項１、２、３又は４に記載のワイヤハーネス組立治具において、前記布線台固定部は、前記可動部に対するガイド部を有し、該ガイド部は、前記布線方向への前記可動部の移動を可能にしつつ前記ハーネス支持部の軸方向への移動を規制する形状に形成されることを特徴とする。
【００２２】
このような特徴を有する本発明によれば、可動部の位置決めをする際、可動部は布線方向へのみスライド移動する。すなわち、他の方向へのスライドは規制される。
【発明の効果】
【００２３】
請求項１に記載された本発明によれば、所定のピッチで調整可能な第一ピッチ調整固定部と、この第一ピッチ調整固定部に対し、ずらした調整になる第二ピッチ調整固定部とを含んで固定手段を構成し、布線台固定部に対する可動部の位置決めの際には、第一ピッチ調整固定部及び第二ピッチ調整固定部のいずれか一方を選んで使用する組立治具であることから、決められたピッチで尚かつ微少なピッチで精度よく可動部の固定位置を調整することができるという効果を奏する。
【００２４】
請求項２に記載された本発明によれば、第一ピッチ調整固定部を、所定のピッチで並ぶ複数の第一ピッチ固定穴と、一つの第一単独固定穴と、固定用の第一固定部材とを含んで構成することから、第二ピッチ調整固定部との使い分けにより、決められたピッチで尚かつ微少なピッチで精度よく可動部の固定位置を調整することができるという効果や、外力が加わっても可動部の横滑りを防止することができるという効果を奏する。
【００２５】
請求項３に記載された本発明によれば、第二ピッチ調整固定部を、第一ピッチ調整固定部の複数の第一ピッチ固定穴に対し、ずらして配置形成される複数の第二ピッチ固定穴と、一つの第二単独固定穴と、固定用の第二固定部材とを含んで構成することから、第一ピッチ調整固定部との使い分けにより、決められたピッチで尚かつ微少なピッチで精度よく可動部の固定位置を調整することができるという効果や、外力が加わっても可動部の横滑りを防止することができるという効果を奏する。
【００２６】
請求項４に記載された本発明によれば、布線台固定部や可動部の一方・他方の両面位置に、又は、一方の面位置に、第一ピッチ調整固定部及び第二ピッチ調整固定部を配置することから、位置決めをし易くすることができるという効果を奏する。
【００２７】
請求項５に記載された本発明によれば、布線方向へのみ可動部のスライド移動を許容することから、可動部の位置決めをし易くできるのは勿論のこと、確実に位置決めをすることができるという効果も奏する。
【図面の簡単な説明】
【００２８】
【図１】本発明のワイヤハーネス組立治具を示す図であり、（ａ）は斜視図、（ｂ）は断面図である。
【図２】布線台固定部を示す図であり、（ａ）は左側面図、（ｂ）は平面図、（ｃ）は右側面図、（ｄ）は正面図である。
【図３】可動部及びハーネス支持部を示す図であり、（ａ）は左側面図、（ｂ）は平面図、（ｃ）は右側面図、（ｄ）は正面図である。
【図４】第一ピッチ調整固定部を用いての可動部の位置決め固定の状態を示す断面図である。
【図５】第二ピッチ調整固定部を用いての可動部の位置決め固定の状態を示す断面図である。
【発明を実施するための形態】
【００２９】
ワイヤハーネス組立治具は、外装品及び／又はクランプをワイヤハーネスに取り付ける際に使用される。このようなワイヤハーネス組立治具は、布線台固定部と、可動部と、ハーネス支持部と、固定手段とを含んで構成される。固定手段は、可動部の固定位置を所定のピッチで調整して固定する第一ピッチ調整固定部と、この第一ピッチ調整固定部による可動部の固定位置に対し、ずらして調整し固定する第二ピッチ調整固定部とを含んで構成される。位置決めの際は、第一ピッチ調整固定部及び第二ピッチ調整固定部のいずれか一方が選ばれて使用される。
【実施例】
【００３０】
以下、図面を参照しながら実施例を説明する。図１は本発明のワイヤハーネス組立治具を示す図であり、（ａ）は斜視図、（ｂ）は断面図である。
【００３１】
図１において、引用符号１は本発明のワイヤハーネス組立治具を示す。ワイヤハーネス組立治具１は、図示しないワイヤハーネスに外装品を取り付ける際に、例えば端末（コネクタ）を受ける治具として使用される。また、本実施例においては、背景技術の欄で説明した特許文献１のワイヤハーネス組立治具２５に替えても使用される。
【００３２】
ワイヤハーネス組立治具１は、布線台固定部２と、スライド部分３になる可動部４及びハーネス支持部５と、固定手段６とを含んで構成される。ワイヤハーネス組立治具１は、以下の説明から分かるようになるが、決められたピッチで尚かつ微少なピッチで精度よく可動部４の固定位置を調整することができる構造を有する。また、外力が加わっても可動部４の横滑りを防止することができる構造を有する。
【００３３】
先ず、ワイヤハーネス組立治具１の上記各構成部材について説明をする。布線台固定部２に関しては、図１及び図２を参照する。図２は布線台固定部２を示す図であり、（ａ）は左側面図、（ｂ）は平面図、（ｃ）は右側面図、（ｄ）は正面図である。また、可動部４及びハーネス支持部５に関しては、図１及び図３を参照する。図３は可動部４及びハーネス支持部５を示す図であり、（ａ）は左側面図、（ｂ）は平面図、（ｃ）は右側面図、（ｄ）は正面図である。さらに、固定手段６に関しては、図１ないし図３を参照する。
【００３４】
図１及び図２において、布線台固定部２は、ワイヤハーネスを布線する布線台７の上に固定される部材であって、ボルト８と、固定部本体９とを備えて構成される。ボルト８は、六角形の頭部と、ネジ山が形成された軸部とを有する。ボルト８は、少なくとも軸部が特許文献１のボルト３７と同じサイズになるものが用いられる（本実施例のワイヤハーネス組立治具１は、特許文献１のワイヤハーネス組立治具２５を代替するため）。
【００３５】
固定部本体９は、金属製の部材であって、下壁１０と、左ガイド側壁１１と、右ガイド側壁１２と、左ガイド上壁１３と、右ガイド上壁１４と、開口部１５と、可動部収容空間１６とを有して図示形状に形成される（金属製に限らず樹脂製であってもよいものとする）。また、固定部本体９は、可動部４及びハーネス支持部５を矢印Ｓ方向に移動させることが可能な形状に形成される。尚、矢印Ｓの方向は、図示しないワイヤハーネスの布線方向（配索方向や軸方向）に一致するものとする。
【００３６】
下壁１０は、平面視長方形の板状に形成される。下壁１０の外面（最下面）は、布線台７の表面に載置される平坦な面として形成される。一方、下壁１０の内面は、可動部４が矢印Ｓ方向にスライド移動する際に摺動する平坦な面として形成される。下壁１０の中央位置には、ボルト挿通孔１７が貫通形成される。このボルト挿通孔１７の周辺には、ボルト８の頭部が上記内面から突出しないようにするための凹部１８が形成される。ボルト挿通孔１７や凹部１８は、左ガイド上壁１３及び右ガイド上壁１４の間の開口部１５から臨む位置に配置形成される。
【００３７】
左ガイド側壁１１及び右ガイド側壁１２は、下壁１０の左右両側から上方へ真っ直ぐのびる壁であって、外面は平坦な面として形成される。一方、左ガイド側壁１１及び右ガイド側壁１２の各内面は、可動部４が矢印Ｓ方向にスライド移動する際に摺動し且つガイドされる平坦な面として形成される。左ガイド側壁１１及び右ガイド側壁１２は、可動部４が左右方向に位置ズレしないような規制壁としても形成される。このような左ガイド側壁１１及び右ガイド側壁１２の各中央位置には、第一単独固定穴１９及び第二単独固定穴２０が形成される。第一単独固定穴１９及び第二単独固定穴２０は、本実施例においてネジ穴となる形状に形成される。尚、第一単独固定穴１９及び第二単独固定穴２０は、固定手段６の一つとして後述するものとする。
【００３８】
左ガイド上壁１３及び右ガイド上壁１４は、下壁１０に対し平行な壁となるように配置形成される。具体的には、左ガイド側壁１１及び右ガイド側壁１２の上端から水平に互いが近づくように真っ直ぐのびて形成される。このような左ガイド上壁１３及び右ガイド上壁１４の各外面（最上面）及び各内面は、平坦な面として形成される。左ガイド上壁１３及び右ガイド上壁１４は、可動部４が矢印Ｓ方向にスライド移動する際に、少なくとも可動部４が上下方向（ハーネス支持部５の軸方向）に位置ズレしないように抑える規制壁としても形成される。
【００３９】
開口部１５は、左ガイド上壁１３及び右ガイド上壁１４の間の略スリット状の空間として形成される。また、開口部１５は、ハーネス支持部５を矢印Ｓ方向に移動可能にする部分や、案内する部分としても形成される。
【００４０】
図１及び図３において、可動部４は、金属製の部材であって、布線台固定部２に対し図示しないワイヤハーネスの布線方向（矢印Ｓ方向）に移動可能に取り付けられる（金属製に限らず樹脂製であってもよいものとする）。このような可動部４は、図示の如く矩形ブロック状（直方体形状）に形成される。可動部４は、上面２１と、下面２２と、左側面２３と、右側面２４と、前面２５と、後面２６とを有し、これら各面は平坦な面として形成される。
【００４１】
上記の平坦な各面のうち、上面２１の中央位置には、ハーネス支持部５が固定される。また、左側面２３には、第一ピッチ固定穴２７が三つ形成される。さらに、右側面２４には、第二ピッチ固定穴２８が二つ形成される。
【００４２】
第一ピッチ固定穴２７及び第二ピッチ固定穴２８は、上記第一単独固定穴１９及び第二単独固定穴２０（図２参照）と略同じサイズの円形状に開口形成される。本実施例の第一ピッチ固定穴２７及び第二ピッチ固定穴２８は、砲弾状となる穴の形状に形成される（この他、例えば半球状や円錐状、円柱状となる穴の形状であってもよいものとする）。
【００４３】
第一ピッチ固定穴２７は、三つのうち、真ん中の固定穴の中心がハーネス支持部５の中心線ＣＬに合うように配置形成される。また、残り二つは、真ん中の固定穴の中心から所定のピッチＰとなるように配置形成される。第一ピッチ固定穴２７は、中心線ＣＬを基準にして配置形成される（固定穴が奇数個ある場合、真ん中の固定穴は基準位置に合うように配置形成され、残りの固定穴は真ん中の固定穴の中心から所定のピッチＰで並ぶように配置形成される）。三つの第一ピッチ固定穴２７は、決められたピッチ（所定のピッチＰ）で並ぶように配置形成される。尚、複数の第一ピッチ固定穴２７は、固定手段６の一つとして後述するものとする。
【００４４】
第二ピッチ固定穴２８は、上記の如く二つあり、所定のピッチＰで並ぶように配置形成される。また、二つの第二ピッチ固定穴２８は、これらの中央位置と上記中心線ＣＬとが一致するように配置形成される。従って、二つの第二ピッチ固定穴２８は、三つの第一ピッチ固定穴２７に対し、ずらした位置に配置形成される。本実施例においては、三つの第一ピッチ固定穴２７に対し、半ピッチ（Ｐ／２）ずらした位置に配置形成される。二つの第二ピッチ固定穴２８は、上記第一ピッチ固定穴２７と同様、決められたピッチで並ぶように配置形成される。尚、複数の第二ピッチ固定穴２８は、固定手段６の一つとして後述するものとする。
【００４５】
所定のピッチＰに関し、固定穴の穴径を小さくすれば小ピッチにすることができるのは勿論である（小ピッチにできれば、第一ピッチ固定穴２７と第二ピッチ固定穴２８の穴数を例えば五つと四つに増やすことも可能になる）。尚、所定のピッチＰは、固定穴の穴径よりも小さく設定することができない。そこで、第一ピッチ固定穴２７及び第二ピッチ固定穴２８を有する構造が有効になる。すなわち、本実施例において、二つの第二ピッチ固定穴２８は、三つの第一ピッチ固定穴２７に対し半ピッチ（Ｐ／２）ずらした位置に配置形成されることから、所定のピッチＰが例えば５ｍｍに設定されれば（数値は一例であるものとする）、第二ピッチ固定穴２８と第一ピッチ固定穴２７の配置は、２．５ｍｍずらした配置になる。つまり、例えば第一ピッチ固定穴２７だけでは、５ｍｍ間隔での調整にしかならないが、第二ピッチ固定穴２８をさらに付加すれば、２．５ｍｍ間隔となる微少な調整が可能になり、結果、有効であることが分かる。
【００４６】
ハーネス支持部５は、特許文献１のワイヤハーネス組立治具２５における受部３１に相当する部分として備えられる。ハーネス支持部５は、上記の如く可動部４における上面２１の中央位置に取り付け固定される。
【００４７】
図１ないし図３において、固定手段６は、布線台固定部２に対する可動部４の矢印Ｓ方向の位置決めをするとともに固定をする手段として備えられる。固定手段６は、可動部４の固定位置を所定のピッチＰで調整して固定する第一ピッチ調整固定部２９と、この第一ピッチ調整固定部２９による可動部４の固定位置に対し、ずらして調整し固定する第二ピッチ調整固定部３０とを含んで構成される。第一ピッチ調整固定部２９は、布線台固定部２の左ガイド側壁１１のある側に配置される。一方、第二ピッチ調整固定部３０は、布線台固定部２の右ガイド側壁１２のある側に配置される。
【００４８】
第一ピッチ調整固定部２９及び第二ピッチ調整固定部３０は、位置決めの際に、これらのいずれか一方が選ばれて使用される。
【００４９】
第一ピッチ調整固定部２９は、布線台固定部２における左ガイド側壁１１の第一単独固定穴１９と、可動部４における左側面２３の三つの第一ピッチ固定穴２７と、これら第一単独固定穴１９及び第一ピッチ固定穴２７に跨って配設される第一固定部材３１とを備えて構成される。
【００５０】
第二ピッチ調整固定部３０は、布線台固定部２における右ガイド側壁１２の第二単独固定穴２０と、可動部４における右側面２４の二つの第二ピッチ固定穴２８と、これら第二単独固定穴２０及び第二ピッチ固定穴２８に跨って配設される第二固定部材３２（図５参照）とを備えて構成される。
【００５１】
第一固定部材３１及び第二固定部材３２は、固定用の部材であって、本実施例においては同じものが使用される。尚、第一固定部材３１及び第二固定部材３２としては、公知のイモネジが好適であるものとする（一例であり特に限定されないものとする）。
【００５２】
次に、上記構成及び構造に基づきながら布線台固定部２に対する可動部４の位置決め固定について説明をする。図４は第一ピッチ調整固定部２９を用いての可動部４の位置決め固定の状態を示す断面図である。また、図５は第二ピッチ調整固定部３０を用いての可動部４の位置決め固定の状態を示す断面図である。
【００５３】
ここでは、複数本の電線を束ねて図示しないワイヤハーネスを形成した後に、ハーネス支持部５で例えばワイヤハーネスの端末（コネクタ）を受け、そして、ワイヤハーネスの所定位置に外装品を配置するとともに、この外装品をワイヤハーネスの外周に例えばテープ巻き等により固定しようとする例を挙げる。上記端末が若干位置ズレしていた場合には、決められたピッチの分だけ可動部４を矢印Ｓ方向にスライド移動させ、これにより端末が所定位置に来るように微調整する。尚、位置ズレしてない場合は、可動部４のスライド移動が不要になる。
【００５４】
図１及び図４において、これらの図では可動部４のスライド移動が不要な場合、すなわち位置ズレしてない場合を示す。布線台固定部２に対する可動部４の位置決めにあたり、固定手段６として第一ピッチ調整固定部２９が選ばれて使用される。
【００５５】
イモネジである第一固定部材３１を布線台固定部２の第一単独固定穴１９にねじ込んでいくと、可動部４の三つの第一ピッチ固定穴２７のうち、真ん中の固定穴に第一固定部材３１の先端部分が挿入される。第一固定部材３１は、第一単独固定穴１９と第一ピッチ固定穴２７とに跨って挿入され、そして、この状態で固定されることから、仮に可動部４に対し、又はハーネス支持部５に対し外力が加わったとしても、可動部４はスライド移動することのない状態に位置決め固定される。
【００５６】
微調整をする必要がある場合、その微調整に係る寸法が例えば上記例の５ｍｍに相当するのであれば、第一ピッチ調整固定部２９が選ばれて使用される。一方、例えば上記例の２．５ｍｍに相当するのであれば、第二ピッチ調整固定部３０が選ばれて使用される。
【００５７】
図５において、第二ピッチ調整固定部３０が選ばれて使用されるのであれば、次のような作用になる。すなわち、可動部４をスライド移動させると、二つの第二ピッチ固定穴２８のうち、図示の固定穴と、第二単独固定穴２０とが一致する。この後に、一致した状態にある第二単独固定穴２０と第二ピッチ固定穴２８とに跨ってイモネジである第二固定部材３２をねじ込んでいくと、第二固定部材３２により第二単独固定穴２０と第二ピッチ固定穴２８とが固定される。従って、布線台固定部２に対する可動部４の位置が決まるのは勿論のこと、外力が加わっても可動部４の横滑りは防止される。可動部４は、スライド移動することのない状態に位置決め固定される。
【００５８】
以上、図１ないし図５を参照しながら説明してきたように、本発明のワイヤハーネス組立治具１によれば、所定のピッチＰで調整可能な第一ピッチ調整固定部２９と、この第一ピッチ調整固定部２９に対し、ずらした調整になる第二ピッチ調整固定部３０とを含んで固定手段６が構成され、布線台固定部２に対する可動部４の位置決めの際には、第一ピッチ調整固定部２９及び第二ピッチ調整固定部３０のいずれか一方が選ばれて使用されることから、決められたピッチで尚かつ微少なピッチで精度よく可動部４の固定位置を調整することができる。また、外力が加わっても可動部４の横滑りを防止することができる。
【００５９】
本発明は本発明の主旨を変えない範囲で種々変更実施可能なことは勿論である。
【００６０】
上記説明では、布線台固定部２の左ガイド側壁１１のある側に第一ピッチ調整固定部２９が配設され、右ガイド側壁１２のある側には、第二ピッチ調整固定部３０が配設される構造であったが、これに限らず、例えば左ガイド側壁１１のある側に第一ピッチ調整固定部２９及び第二ピッチ調整固定部３０がまとまって配設（千鳥状に配設）される構造であってもよいものとする。
【００６１】
また、上記説明では、布線台固定部２の左ガイド側壁１１に第一単独固定穴１９が一つ配置形成され、可動部４の左側面２３には第一ピッチ固定穴２７が三つ配置形成される構造であったが、これに限らず、左ガイド側壁１１にネジ穴形状の第一ピッチ固定穴２７が三つ、左側面２３に穴形状の第一単独固定穴１９が一つ配置形成される構造であってもよいものとする。
【００６２】
同様に、上記説明では、布線台固定部２の右ガイド側壁１２に第二単独固定穴２０が一つ配置形成され、可動部４の右側面２４には第二ピッチ固定穴２８が二つ配置形成される構造であったが、これに限らず、右ガイド側壁１２にネジ穴形状の第二ピッチ固定穴２８が二つ、右側面２４に穴形状の第二単独固定穴２０が一つ配置形成される構造であってもよいものとする。
【００６３】
また、上記説明では、ワイヤハーネスの端末（コネクタ）を受ける治具であったが、これに限らず、例えばクランプを取り付ける際に使用される治具であってもよいものとする。この場合、ワイヤハーネス組立治具１をクランプ取付治具と読み替えてもよいものとする。
【符号の説明】
【００６４】
１…ワイヤハーネス組立治具、  ２…布線台固定部、  ３…スライド部分、  ４…可動部、  ５…ハーネス支持部、  ６…固定手段、  ７…布線台、  ８…ボルト、  ９…固定部本体、  １０…下壁、  １１…左ガイド側壁（ガイド部）、  １２…右ガイド側壁（ガイド部）、  １３…左ガイド上壁（ガイド部）、  １４…右ガイド上壁（ガイド部）、  １５…開口部、  １６…可動部収容空間、  １７…ボルト挿通孔、  １８…凹部、  １９…第一単独固定穴、  ２０…第二単独固定穴、  ２１…上面、  ２２…下面、  ２３…左側面、  ２４…右側面、  ２５…前面、  ２６…後面、  ２７…第一ピッチ固定穴、  ２８…第二ピッチ固定穴、  ２９…第一ピッチ調整固定部、  ３０…第二ピッチ調整固定部、  ３１…第一固定部材、  ３２…第二固定部材、  Ｐ…所定のピッチ
【図１】
2015082348.tif 000003
【図２】
2015082348.tif 000004
【図３】
2015082348.tif 000005
【図４】
2015082348.tif 000006
【図５】
2015082348.tif 000007